(57)【特許請求の範囲】
【請求項１】
印字ヘッドとの対向面が平面に形成され、両端部に通孔が設けられた平型の印台と、
前記印台の両端を支える印台支持部と、
前記印台の長手方向の両端部に嵌合される筒型形状であり、弾性的に屈繞可能な第一の衝撃吸収部材と、
前記通孔に挿入できる円筒形状であり、前記円筒の両端が前記第一の衝撃吸収部材の前記筒型形状の内壁に接触する寸法であって、弾性的に屈繞可能な第二の衝撃吸収部材と、
前記印台と、前記印台の端部に嵌合された前記第一の衝撃吸収部材とを囲繞する大きさの筒型形状であるカバー部材と、
前記第二の衝撃吸収部材の前記円筒形状の内径内部に圧入された状態で、前記カバー部材と、前記印台支持部と、前記印台の両端とを止着する止着部材と、
を具備する印台支持装置。
【請求項２】
前記印台支持部は、前記印台を下方より保持し、
前記カバー部材の前記筒型形状は、前記印台支持部をさらに囲繞し、
前記カバー部材の前記筒型形状の底面と、前記印台支持部との間に介装され、弾性的に屈撓可能な第三の衝撃吸収部材を具備する請求項１記載の印台支持装置。
【発明の詳細な説明】
【０００１】
【発明の属する技術分野】
本発明は、印字装置が具備する印台を支持するための印台支持装置に関する。
【０００２】
【従来の技術】
印字装置の印台には、紙送りの機能を備えたプラテンローラと称する印台の他に、紙送りの機能を備えない平型の印台がある。このような印台はその両端が相対向するフレームなどの印台支持部に固定されている。以下、図７及び図８を参照して具体的に説明する。図７は印台の支持構造を示す一部の分解斜視図、図８はその側面図である。
【０００３】
印台１５は平型であり、ワイヤドットヘッド２０と対向して設けられている。印台１５の長手方向の両端には取付孔１５ａが形成されている。このような印台１５は、取付孔１５ａに通した取付ネジ２６をフレーム２４などに形成された印台支持部２５に螺合することにより固定されている。
【０００４】
【発明が解決しようとする課題】
印字装置においては、用紙を搬送するとき、ワイヤドットヘッド２０が搭載されたキャリッジを移動させるとき、このキャリッジ移動時にワイヤドットヘッド２０を駆動するときなどに騒音が発生する。特にインパクト型のワイヤドットヘッド２０を用いた場合、印台１５はワイヤドットヘッド２０により叩打されるため最も大きな騒音発生源となる。
【０００５】
図７及び図８に示すように、印台１５が印台支持部２５直接取り付けられている場合には、印台１５の振動が印台支持部２５に伝わり、この振動はフレーム２４などに伝播して増幅するため、高い印字騒音を発生させる。この騒音を減衰させるために、印字装置のケースの内面に吸音材を貼るなどの対策をしているが、ワイヤドットヘッド２０の叩打音が高いためにさらなる騒音対策が要望されている。
【０００６】
また、平型の印台１５の場合には、ワイヤドットヘッド２０の先端に対して印台１５の対向面が平行でない場合がある。これにより、例えば、図８において用紙が左方から右方へ搬送されるものとすると、ワイヤドットヘッド２０と印台１５とのギャップが用紙搬送方向上流側ではａ、下流側ではｂとし、このａ，ｂが一致しないことがある。この場合には、上流側と下流側とで印字の濃淡差が発生し、印字品質が低下してしまう。このために、印台１５の傾きを調整する機構があるが、構造及びその調整作業が複雑である。
【０００７】
本発明の目的は、印字時の騒音をその騒音発生源で速やかに減衰させ得るようにすることである。
【０００８】
本発明の他の目的は、騒音発生源で騒音を減衰させる機構を有効に利用して印台の傾きを容易に調整し得るようにすることである。
【０００９】
【課題を解決するための手段】
請求項１記載の発明は、印字ヘッドとの対向面が平面に形成され、両端部に通孔が設けられた平型の印台と、前記印台の両端を支える印台支持部と、前記印台の長手方向の両端部に嵌合される筒型形状であり、弾性的に屈繞可能な第一の衝撃吸収部材と、前記通孔に挿入できる円筒形状であり、前記円筒の両端が前記第一の衝撃吸収部材の前記筒型形状の内壁に接触する寸法であって、弾性的に屈繞可能な第二の衝撃吸収部材と、前記印台と、前記印台の端部に嵌合された前記第一の衝撃吸収部材とを囲繞する大きさの筒型形状であるカバー部材と、前記第二の衝撃吸収部材の前記円筒形状の内径内部に圧入された状態で、前記カバー部材と、前記印台支持部と、前記印台の両端とを止着する止着部材と、を具備する。
【００１１】
請求項２記載の発明は、請求項１記載の発明において、前記印台支持部は、前記印台を下方より保持し、前記カバー部材の前記筒型形状は、前記印台支持部をさらに囲繞し、前記カバー部材の前記筒型形状の底面と、前記印台支持部との間に介装され、弾性的に屈撓可能な第三の衝撃吸収部材を具備する。
【００１２】
したがって、第二の衝撃吸収部材の振動吸収作用により印台と止着部材との間での振動の伝播を抑えることが可能となる。
【００１６】
したがって、印台の振動がカバー部材に伝播されたとしてもの、第三の衝撃吸収部材の振動吸収作用によりカバー部材と印台支持部との間での振動の伝播を抑えることが可能となる。
【００１９】
【発明の実施の形態】
本発明の第一の実施の形態を図１ないし図３に基づいて説明する。図１は印字装置の内部構造を示す縦断側面図、図２は印台支持装置の構成を示す分解斜視図、図３はその縦断側面図である。
【００２０】
まず、図１を参照して印字装置Ｐの構成について説明する。装置本体１の前面２には開口部３が形成され、この開口部３には手差しトレイ４が開閉自在に設けられている。また、装置本体１の前面２側の下部には給紙口５が形成され、背面６側には排紙受け７が設けられている。さらに、装置本体１の上面８には開閉カバー９が回動自在に支持されている。
【００２１】
装置本体１の中央部には用紙搬送路１０が設けられている。この用紙搬送路１０の上流側は、開放状態の手差しトレイ４の延長面上に配置された給紙通路１１と、給紙口５に通じる給紙通路１２とに接続され、下流側は排紙受け７に接続されている。給紙通路１２にはトラクタ１３が設けられ、用紙搬送路１０には用紙搬送部材としての対の搬送ローラ１４と印台１５とが設けられ、排紙受け７の入口には排紙ローラ１６が設けられている。この排紙ローラ１６に圧接された押えローラ１７は開閉カバー９の自由端側に回転自在に支持されている。そして、搬送ローラ１４の軸と平行なキャリッジシャフト１８に摺動自在に嵌合されたキャリッジ１９には、印字ヘッドとしてのワイヤドットヘッド２０が搭載されているとともに、インクリボンカセット２１が着脱可能に支持されている。
【００２２】
このような印字装置では、印字用紙として単票２２を用いる場合には手差しトレイ４から給紙し、印字用紙として連続紙２３を用いる場合には給紙口５から給紙する。何れの印字用紙を用いても、印字用紙は搬送ローラ１４により搬送され、排紙ローラ１６により排紙受け７に排紙され、この過程で印台１５の長手方向（図１において紙面に垂直な方向）に沿ってキャリッジ１９を移動させてワイヤドットヘッド２０により印字がなされる。
【００２３】
次に、印台１５を支持する印台支持装置Ａの構成を図２及び図３に基づいて説明する。印台１５は断面形状が四角な平型であるが、ワイヤドットヘッド２０との対向面が平らであれば、他の断面形状であってもよい。図２においては印台１５の片側しか図示していないが、印台１５の長手方向の両端には取付孔１５ａが形成されている。この印台１５の長手方向の両端には相対向するフレーム２４が設けられ、これらのフレーム２４には印台１５を支持する印台支持部２５が屈曲形成され、それぞれの印台支持部２５には止着部材としての取付ネジ２６が螺合されるネジ孔２７が形成されている。
【００２４】
ここで、印台１５の端部に嵌合される筒形形状の第一の衝撃吸収部材２８が設けられている。この第一の衝撃吸収部材２８の上下方向の両面には取付ネジ２６を通す通孔２９が形成されている。さらに、印台１５の取付孔１５ａに挿入される円筒形状の第二の衝撃吸収部材３０と、取付ネジ２６を通す通孔３１を有して印台支持部２５の下面に接触される第三の衝撃吸収部材３２とが設けられている。第二の衝撃吸収部材３０の内径は取付ネジ２６が圧入される程度に定められ、全長は両端が第一の衝撃吸収部材２８の天井面と底面とに接触する寸法に定められている。このような第一の衝撃吸収部材２８、第二の衝撃吸収部材３０、第三の衝撃吸収部材３２は、ゴム、軟質の合成樹脂などのように弾性的に屈撓可能で振動吸収特性の高い材料により形成されている。
【００２５】
さらに、印台１５と、この印台１５の端部に嵌合された第一の衝撃吸収部材２８とを囲繞する大きさで筒形形状の金属製のカバー部材３３が設けられている。このカバー部材３３の上面には取付ネジ２６を通す通孔３４が形成され、底面には取付ネジ２６を突出させるスリット孔３５が形成され、側面３６には加圧部材としての締付ネジ３７を螺合させるための二つのネジ孔３８が上下方向に配列されて形成されている。
【００２６】
次に、印台１５を印台支持部２５に取り付ける組立操作について説明する。印台１５の取付孔１５ａに第二の衝撃吸収部材３０を挿入した状態で、印台１５の端部に第一の衝撃吸収部材２８を嵌合し、その第一の衝撃吸収部材２８に外側からカバー部材３３を嵌合し、カバー部材３３の底面が印台支持部２５とその下方の第三の衝撃吸収部材３２よりも下方に位置するように配置し、その状態で、取付ネジ２６をカバー部材３３の通孔３４、第一の衝撃吸収部材２８の上部の通孔２９、第二の衝撃吸収部材３０、第一の衝撃吸収部材２８の下部の通孔２９、カバー部材３３のスリット孔３５の順に通し、先端を印台支持部２５のネジ孔２７に螺合する。これにより、図３に示すように印台１５が印台支持部２５に取り付けられる。
【００２７】
このような構成において、印字に際して、印台１５はワイヤドットヘッド２０に叩打されるため振動するが、印台１５を囲繞する筒形形状の第一の衝撃吸収部材２８の下面が印台支持部２５に当接するため、第一の衝撃吸収部材２８の振動吸収作用により印台１５と印台支持部２５との間での振動の伝播を抑えることが可能となる。また、印台１５の取付孔１５ａを通る取付ネジ２６には円筒形状の第二の衝撃吸収部材３０が圧入されているので、この第二の衝撃吸収部材３０の振動吸収作用により印台１５と取付ネジ２６との間での振動の伝播を抑えることが可能となる。
【００２８】
さらに、第一の衝撃吸収部材２８は筒形形状であり広い面積をもって印台１５に接触するため振動吸収作用がより一層促進される。この場合、第一の衝撃吸収部材２８は筒形形状のため表面積が大きく、熱や経時変化の影響により変形し易くなるが、周囲をカバー部材３３により圧縮されているため熱や経時変化の影響を小さくすることが可能となり、これにより、振動吸収性能を長期間維持することが可能となる。
【００２９】
さらに、筒形形状のカバー部材３３は印台支持部２５をも囲繞するが、その底面と印台支持部２５との間には第三の衝撃吸収部材３２が介装されているため、印台１５の振動がカバー部材３３に伝播されたとしても、第三の衝撃吸収部材３２の振動吸収作用によりカバー部材３３と印台支持部２５との間での振動の伝播を抑えることが可能となる。
【００３０】
そして、図３に示すように、カバー部材３３の側面３６に形成したネジ孔３８に螺合された上下二つの締付ネジ３７を締め付けると、その締め付けによる圧力が第一の衝撃吸収部材２８を介して印台１５に作用するので、上下の締付ネジ３７の締付力を調整することにより、ワイヤドットヘッド２０の先端に対する印台１５の傾きを相対的に調整することができる。
【００３１】
この場合、印台１５はカバー部材３３の内部において筒形の第一の衝撃吸収部材２８により周囲が圧縮されるため、他の固定手段を要することなく傾き方向の姿勢を安定させることができる。
【００３２】
この印台１５の傾き調整に際し、第二の衝撃吸収部材３０も屈撓により印台１５の傾き動作を許容するが、第二の衝撃吸収部材３０を省略する場合は、印台１５の取付孔１５ａと取付ネジ２６とのクリアランスの分だけ印台１５の傾き角度を調整することができる。
【００３３】
次に、本発明の第二の実施の形態を図４に基づいて説明する。本実施の形態及びこれに続く他の実施の形態において、前記実施の形態と同一部分は同一符号を用い説明も省略する。図４は印台支持装置の縦断側面図である。
【００３４】
本実施の形態における印台支持装置Ｂは、加圧部材として、締付ネジ３７に代えて偏心カム３９を用いた例である。この偏心カム３９は、取付ネジ２６を中心とする片側だけに印台１５の下端を押圧するように設けられている。したがって、偏心カム３９を回転させると、印台１５は第一の衝撃吸収部材２８及び第二の衝撃吸収部材３０を弾性的に変形させながら傾き方向の姿勢を変える。この場合、第一の衝撃吸収部材２８には偏心カム３９を配置する切欠２８ａを形成しておく必要がある。
【００３５】
図４に示すように、偏心カム３９を紙面に対して垂直な向きで軸支する場合には、カバー部材３３に側面３６と直交する面を設け、その面で偏心カム３９を支持するように構成すればよい。もちろん、偏心カム３９を、締付ネジ３７の場合と同様にカバー部材３３の側面３６により回転自在に軸支してもよい。
【００３６】
次に、本発明の第三の実施の形態を図５及び図６に基づいて説明する。図５は印台支持装置の構成を示す分解斜視図、図６はその縦断側面図である。本実施の形態における印台支持装置Ｃのカバー部材４０は下面が開口するコの字形に形成され、両側面４１の下縁４２の中央部には突片４３が形成されている。印台支持部２５には突片４３を嵌合させる嵌合孔４４が形成されている。カバー部材４０が第一の衝撃吸収部材２８の上面に接触する天井面から下縁４２までの高さは、第一の衝撃吸収部材２８を一定の圧力で押圧し得る寸法に定められている。
【００３７】
次に、印台１５を印台支持部２５に取り付ける組立操作について説明する。印台１５の取付孔１５ａに第二の衝撃吸収部材３０を挿入した状態で、印台１５の端部に第一の衝撃吸収部材２８を嵌合し、その状態で第一の衝撃吸収部材２８を印台支持部２５の上に置き、その上からカバー部材４０を被せ、突片４３を嵌合孔４４に嵌合し、その状態で、取付ネジ２６をカバー部材４０の通孔３４、第一の衝撃吸収部材２８の上部の通孔２９、第二の衝撃吸収部材３０、第一の衝撃吸収部材２８の下部の通孔２９の順に通し、先端を印台支持部２５のネジ孔２７に螺合する。これにより、図６に示すように印台１５が印台支持部２５に取り付けられる。
【００３８】
このような構成において、カバー部材４０は印台１５の傾きを調整する加圧部材としての作用を示すもので、突片４３が嵌合孔４４に嵌合され下縁４２が印台支持部２５の上面に当接するため、取付ネジ２６を強い締付力で締め付けても、第一の衝撃吸収部材２８及び第二の衝撃吸収部材３０の圧縮量は一定である。したがって、印台１５の高さを一定に保つことができ、印台１５の傾きも修正することができる。
【００３９】
なお、第三の実施の形態でも第三の衝撃吸収部材を備えてもよい。
【００４０】
【発明の効果】
請求項１記載の発明によれば、印台と印台支持部との間に介装され弾性的に屈撓可能な第一の衝撃吸収部材を具備するので、衝撃吸収部材の振動吸収作用により印台と印台支持部との間での振動の伝播を抑え、振動発生源で振動を速やかに吸収することができ、したがって、印字騒音を有効に減衰させることができる。また、第一の衝撃吸収部材は印台の長手方向の両端部の周囲を囲繞するように筒形の形状に定められ、その第一の衝撃吸収部材は印台とともに止着部材により印台支持部に止着されたカバー部材の内部に圧縮されているので、筒形形状の衝撃吸収部材が広い面積をもって印台に接触するため振動吸収作用を促進させることができ、また、衝撃吸収部材は筒形形状のため表面積が大きく、熱や経時変化の影響により変形し易くなるが、周囲をカバー部材により圧縮されているため熱や経時変化の影響を小さくすることができ、これにより、振動吸収性能を長期間維持することができる。
【００４１】
また、請求項１記載の発明によれば、印台の両端部に設けられた通孔に挿入できる円筒形状であって、円筒の両端が第一の衝撃吸収部材の筒型形状の内壁に接触する寸法であり、円筒の内径は止着部材が圧入される程度であって、弾性的に屈繞可能な第二の衝撃吸収部材をさらに備えたので、第二の衝撃吸収部材の振動吸収作用により印台と止着部材との間での振動の伝播を抑えることができる。
【００４３】
請求項２記載の発明によれば、請求項１記載の発明において、カバー部材の前記筒型形状の底面と印台支持部との間に介装され、弾性的に屈撓可能な第三の衝撃吸収部材を具備するので、印台の振動がカバー部材に伝播されたとしても、第三の衝撃吸収部材の振動吸収作用によりカバー部材と印台支持部との間での振動の伝播を抑えることができる。
【図面の簡単な説明】
【図１】本発明の第一の実施の形態における印字装置の内部構造を示す縦断側面図である。
【図２】印台支持装置の構成を示す分解斜視図である。
【図３】その縦断側面図である。
【図４】本発明の第二の実施の形態における印台支持装置の縦断側面図である。
【図５】本発明の第三の実施の形態における印台支持装置の構成を示す分解斜視図である。
【図６】その縦断側面図である。
【図７】従来の印台の支持構造を示す一部の分解斜視図である。
【図８】その側面図である。
【符号の説明】
１５  印台
２０  印字ヘッド
２５  印台支持部
２６  止着部材
２８  第一の衝撃吸収部材
３０  第二の衝撃吸収部材
３２  第三の衝撃吸収部材
３３  カバー部材
３７，３９，４０  加圧部材
【図１】
0004756730.tif 000002
【図２】
0004756730.tif 000003
【図３】
0004756730.tif 000004
【図４】
0004756730.tif 000005
【図５】
0004756730.tif 000006
【図６】
0004756730.tif 000007
【図７】
0004756730.tif 000008
【図８】
0004756730.tif 000009